(57)【特許請求の範囲】
【請求項１】
ドッカブル構造のビデオカメラ装置において、
ビデオカメラ装置が、カメラ本体の一側板部を光軸方向に沿って分離・合体可能なドッカブル構造であり、該一側板部にトライアックスケーブル又はファイバーケーブルを接続するためのカメラアダプタ部及び又は記録装置を設けて該一側板部をカメラアダプタ機構とし、
前記カメラ本体の上面部に脱着可能なトップカバーが設けられ、該カメラ本体の上面部の該トップカバーを除く部分に前把持部が形成され、該トップカバーに後把持部が形成され、該トップカバーが該カメラ本体に取り付けられると前記前把持部と前記後把持部とが組み合わされて把持部を構成し、該トップカバーが取り外されると該カメラ本体内に光軸方向に沿って平行に垂設収納された回路基板が交換可能に設けられ、
前記回路基板が前記カメラ本体の中央部に光軸方向に沿って縦方向に垂設され、該カメラ本体の一側板部に設けた一放熱板と、前記回路基板に設けた他放熱板との空隙による空気流路を形成し、
前記一側板部を前記カメラ本体に装着した後にロック部材によって装着方向と同じ方向から前記一側板部を締め付けて固定することを特徴とするビデオカメラ装置。
【請求項２】
ドッカブル構造のビデオカメラ装置におけるカメラアダプタ構造であって、
前記ビデオカメラ装置が、カメラ本体の一側板部を光軸方向に沿って分離・合体可能なドッカブル構造であって、該ビデオカメラ装置とカメラコントロールユニットとをトライアックスケーブルやファイバーケーブルで接続するためのカメラアダプタ部及び又は記録装置が前記一側板部に形成され、
前記カメラアダプタ部のモジュール部が前記一側板部の内面側に設けられ、該一側板部の外面側に該カメラアダプタ部のコネクタ部が設けられ、
前記一側板部を前記カメラ本体に装着した後に装着方向と同じ方向から前記一側板部を締め付けるロック部材を設けたことを特徴とするカメラアダプタ構造。
【発明の詳細な説明】
【技術分野】
【０００１】
本発明は、ビデオカメラ装置とカメラ制御装置とを制御ケーブルで接続するためのカメラアダプタ部をドッカブル構造で組み込むようにしたビデオカメラ装置とそのカメラアダプタ構造に関する。
【背景技術】
【０００２】
従来、ドッカブル構造のビデオカメラ装置は、図５及び図６に示しように、カメラ本体２と周辺機器（カメラアダプタやビデオテープレコーダ、その他の各種の周辺機器）３とを光軸方向の前後方向で電気的及び機械的に脱着可能にしたものであり、ビデオカメラ装置１を簡単に説明すると、４がレンズ部、５が把持部、６がマイクロホン、７がビューファインダであり、カメラ本体２に撮像素子や回路基板が収納され、周辺機器３には制御ケーブルを接続するカメラアダプタやビデオテープレコーダ、その他の各種の周辺機器が設けられている。８はカメラ部２と周辺機器３との着脱部である（例えば、特許文献１参照）。
【０００３】
従来例のビデオカメラ装置では、図６に示すように、カメラ本体２と周辺機器３との着脱面には、係止機構９、コネクタ１０、自動ロック機構１１が設けられ、周辺機器３の上部にロックネジ９ａが設けられ、コネクタ１０でカメラ本体２と周辺機器３とが電気的に接続され、係止機構９と自動ロック機構１１とで機械的に接続され、ロックネジ９ａで固定されている。
【先行技術文献】
【特許文献】
【０００４】
【特許文献１】特開平８−２７９９４５号公報
【発明の概要】
【発明が解決しようとする課題】
【０００５】
上記従来例のビデオカメラ装置では、通常の使用状態では何ら問題はないが、カメラ本体２と周辺機器３との装着方向とロックネジ９ａによる締め付け方向とが異なり、また、ロックネジ９ａによる締め付けが間接部材を介して行われるために経時的劣化による接合部の摩耗等により甘くなり易く、遊びが生じたり、コネクタ同士の結合が不十分になり易い欠点があり、また、撮影時の振動で緩みが生じたりし、さらにまた、周辺機器３には映像信号を受けて伝送するための装置や電源回路等が設けられ、多くのコネクタが存在する。従来のドッカブル構造のビデオカメラ装置では、カメラ本体２と周辺機器３との合体時に電気的に接続されるために、電気的な接触不良が発生する原因にもなる欠点があった。また、遊びが生じることにより防水面にも問題が生じたり、境界部から雨水が浸入して絶縁不良を生じたりする欠点があった。
【０００６】
本発明は、上記課題に鑑みてなされたものであり、カメラ部とカメラアダプタ構造とを分離・合体する側板ドッカブル構造とし機械的強度を高めて電気的接続を確実にしたビデオカメラ装置及びそのカメラアダプタ構造を提供することを目的とする。
【課題を解決するための手段】
【０００７】
本発明は、上記課題を達成したものであり、請求項１の発明は、ドッカブル構造のビデオカメラ装置において、
ビデオカメラ装置が、カメラ本体の一側板部を光軸方向に沿って分離・合体可能なドッカブル構造であり、該一側板部にトライアックスケーブル又はファイバーケーブルを接続するためのカメラアダプタ部及び又は記録装置を設けて該一側板部をカメラアダプタ機構とし、
前記カメラ本体の上面部に脱着可能なトップカバーが設けられ、該カメラ本体の上面部の該トップカバーを除く部分に前把持部が形成され、該トップカバーに後把持部が形成され、該トップカバーが該カメラ本体に取り付けられると前記前把持部と前記後把持部とが組み合わされて把持部を構成し、該トップカバーが取り外されると該カメラ本体内に光軸方向に沿って平行に垂設収納された回路基板が交換可能に設けられ、
前記回路基板が前記カメラ本体の中央部に光軸方向に沿って縦方向に垂設され、該カメラ本体の一側板部に設けた一放熱板と、前記回路基板に設けた他放熱板との空隙による空気流路を形成し、
前記一側板部を前記カメラ本体に装着した後にロック部材によって装着方向と同じ方向から前記一側板部を締め付けて固定することを特徴とするビデオカメラ装置である。
【００１１】
また、請求項２の発明は、ドッカブル構造のビデオカメラ装置におけるカメラアダプタ構造であって、
前記ビデオカメラ装置が、カメラ本体の一側板部を光軸方向に沿って分離・合体可能なドッカブル構造であって、該ビデオカメラ装置とカメラコントロールユニットとをトライアックスケーブルやファイバーケーブルで接続するためのカメラアダプタ部及び又は記録装置が前記一側板部に形成され、
前記カメラアダプタ部のモジュール部が前記一側板部の内面側に設けられ、該一側板部の外面側に該カメラアダプタ部のコネクタ部が設けられ、
前記一側板部を前記カメラ本体に装着した後に装着方向と同じ方向から前記一側板部を締め付けるロック部材を設けたことを特徴とするカメラアダプタ構造である。
【発明の効果】
【００１４】
請求項１の発明では、ドッカブル構造のビデオカメラ装置において、ビデオカメラ装置が、カメラ本体の一側板部を光軸方向に沿って分離・合体可能なドッカブル構造であり、該一側板部にトライアックスケーブル又はファイバーケーブルを接続するためのカメラアダプタ部及び又は記録装置を設けて該一側板部をカメラアダプタ機構とし、前記カメラ本体の上面部に脱着可能なトップカバーが設けられ、該カメラ本体の上面部の該トップカバーを除く部分に前把持部が形成され、該トップカバーに後把持部が形成され、該トップカバーが該カメラ本体に取り付けられると前記前把持部と前記後把持部とが組み合わされて把持部を構成し、該トップカバーが取り外されると該カメラ本体内に光軸方向に沿って平行に垂設収納された回路基板が交換可能に設けられ、前記回路基板が前記カメラ本体の中央部に光軸方向に沿って縦方向に垂設され、該カメラ本体の一側板部に設けた一放熱板と、前記回路基板に設けた他放熱板との空隙による空気流路を形成し、前記一側板部を前記カメラ本体に装着した後にロック部材によって装着方向と同じ方向から前記一側板部を締め付けて固定することを特徴とするビデオカメラ装置であるので、カメラアダプタ機構が一側板部に形成され、このカメラアダプタ機構をカメラ枠体側面にロック部材となる固定ネジで装着方向に緊縮することができる側板ドッカブル構造のビデオカメラ装置とすることができ、一側板部（カメラアダプタ機構）がその装着方向に強固に装着され、撮影時の振動等で弛むことがなく、機械的及び電気的に安定した側板ドッカブル構造のビデオカメラ装置を提供できる利点があり、回路基板を収納する空間は従来よりも広く、回路基板の面積が拡大でき、回路基板の枚数を低減できるし、ハーネスケーブルを含めた部品数や加工費が削減でき、防水性も良好になる利点がある。また、従来のドッカブル構造のビデオカメラ装置のように前後に分断する境界線が無くなり、防水性能が良好であり、意匠的にも良好である。
また、トップカバーをカメラ本体から取り外すことによって、カメラ本体内部に垂設された回路基板が現れ、カメラアダプタ機構を交換する際に、同時に回路基板の交換が必要であっても容易に回路基板の交換ができる構造を有するビデオカメラ装置を提供できる利点がある。
また、トライアックスケーブル又はファイバーケーブルに対応したカメラアダプタ部が側板部に形成されたカメラアダプタ機構を、カメラコントロールユニットの制御方式に対応して容易に交換できる側板ドッカブル構造のビデオカメラ装置を提供できる利点がある。
また、カメラ本体の側板部の内面側に放熱板を設けることによって、これら放熱板間を空気流路とする放熱機構を容易に形成できる利点がある。
【００１８】
また、請求項２の発明では、ドッカブル構造のビデオカメラ装置におけるカメラアダプタ構造であって、
前記ビデオカメラ装置が、カメラ本体の一側板部を光軸方向に沿って分離・合体可能なドッカブル構造であって、該ビデオカメラ装置とカメラコントロールユニットとをトライアックスケーブルやファイバーケーブルで接続するためのカメラアダプタ部及び又は記録装置が前記一側板部に形成され、前記カメラアダプタ部のモジュール部が前記一側板部の内面側に設けられ、該一側板部の外面側に該カメラアダプタ部のコネクタ部が設けられ、前記一側板部を前記カメラ本体に装着した後に装着方向と同じ方向から前記一側板部を締め付けるロック部材を設けたことを特徴とするカメラアダプタ構造であるので、一側板部を交換するのみで、ビデオカメラ装置とカメラ制御部とを接続する制御ケーブルの種類に応じたカメラアダプタ構造に交換することができる利点がある。さらに、このカメラアダプタ構造をカメラ枠体側面にロック部材となる固定ネジで装着方向に緊縮することができる側板ドッカブル構造のビデオカメラ装置におけるカメラアダプタ構造とすることができ、一側板部（カメラアダプタ構造）がその装着方向に強固に装着され、撮影時の振動等で弛むことがなく、機械的及び電気的に安定した側板ドッカブル構造のビデオカメラ装置におけるカメラアダプタ構造を提供できる利点がある。
また、一側板部を交換するのみで、制御ケーブルの種類に応じたカメラアダプタ部のコネクタ部が形成されたカメラアダプタ構造に交換することができる利点がある。
また、一側板部に設けた記録装置によって、制御ケーブルで映像信号を送信することなく、撮像信号を記録装置に記録することができる利点がある。
【００１９】
また、請求項６の発明では、前記カメラアダプタ部のモジュール部が前記一側板部の内面側に設けられ、該一側板部の外面側に該カメラアダプタ部のコネクタ部が設けられることを特徴とする請求項５に記載のカメラアダプタ構造であるので、一側板部を交換するのみで、制御ケーブルの種類に応じたカメラアダプタ部のコネクタ部が形成されたカメラアダプタ構造に交換することができる利点がある。
【００２０】
また、請求項７の発明では、記録装置が前記一側板部に設けられることを特徴とする請求項６に記載のカメラアダプタ構造であるので、一側板部に設けた記録装置によって、制御ケーブルで映像信号を送信することなく、撮像信号を記録装置に記録することができる利点がある。
【図面の簡単な説明】
【００２１】
【図１】本実施例のビデオカメラ装置の斜視図である。
【図２】本実施例の要部分解斜視図と参考図である。
【図３】本実施例の回路基板の配置を示した要部分解斜視図である。
【図４】（ａ）は本実施例の斜視図、（ｂ）はトップカバーを取り外した斜視図、（ｃ）は回路基板を引き抜いた斜視図である。
【図５】従来のドッカブル構造のビデオカメラ装置の正面図である。
【図６】従来のドッカブル構造のビデオカメラ装置の着脱を示す分解斜視図である。
【発明を実施するための形態】
【００２２】
以下、本発明に係るビデオカメラ装置及びそのカメラアダプタ構造について、図面を参照し説明する。なお、図１は本実施例のビデオカメラ装置の外観を示す斜視図、図２は本実施例の側板ドッカブル構造を示す要部分解斜視図、図３は本実施例の内部の回路基板の構成を示す要部分解斜視図、図４（ａ）〜（ｃ）は本実施例におけるカメラ本体内に回路基板の収納を説明するための斜視図である。
【００２３】
図１において、本実施例のビデオカメラ装置２０はカメラ本体２１がカメラ枠体２２とカメラ枠体２２の両側面に装着される側板部２３ａ，２３ｂとで形成され、カメラ枠体２２の上面部に開口部２２ａが形成され、開口部２２ａを覆うようにトップカバー２４が設けられ、カメラ枠体２２の上部に前把持部２５ａが形成され、トップカバー２４に後把持部２５ｂが形成され、前把持部２５ａと後把持部２５ｂとが組み合わされて把持部２５が形成されており、カメラ枠体２２の前壁面にレンズ部４が装着され、レンズ部４にはズームスイッチを備えるグリップ部４ａが設けられている。また、カメラ本体２１の上面部には通気のための通気孔２９が設けられている。
【００２４】
図２に示すように、側板部２３ａはカメラ枠体２２の右側面を覆う部材であり、カメラ枠体２２の左側面に交換可能な側板部２３ｂとした側板ドッカブル構造のビデオカメラ装置であり、側板部２３ｂにはビデオカメラ装置２０とカメラコントロールユニット（図示なし）とをトライアックスケーブル又はファイバーケーブルで接続するためのカメラアダプタ部２６が形成されている。なお、カメラ本体２１の背面側にはスイッチや電源装置等（図示なし）がカメラ本体２１と一体に形成され、ドッカブル構造としたとしても中央部で配線が切り離されることがなく、信頼性が高く配線やコネクタ等の部品数を削減できる。
【００２５】
側板部２３ｂにはその内側に箱状部材２６ｃが設けられ、箱状部材２６ｃ内にファイバアダプタ又はトライアックスアダプタのモジュール部２６ａが組み込まれる。また、側板部２３ｂの外面側にはファイバアダプタ又はトライアックスアダプタ用のコネクタ２６ｂが設けられ、さらに、側板部２３ｂの内側にはコネクタ２６ｄが設けられ、コネクタ２６ｄが差し込まれるコネクタ２６ｅがカメラ枠体２２の内面側板部に形成され、カメラ枠体２２の左側面に側板部２３ｂを装着することによって、コネクタ２６ｄとコネクタ２６ｅとが結合され、カメラアダプタ部２６がカメラ本体２１内の回路と電気的に接続される。側板部２３ｂはファイバアダプタ又はトライアックスアダプタに交換可能なカメラアダプタ構造を形成しており、また、側板部２３ｂはカメラ枠体２２の左側面に固定ネジ２７により側板部２３ｂの装着方向に強固に固定することができ、コネクタ２６ｄとコネクタ２６ｅとが結合が強固であり電気的に安定する。このように本実施例では光軸方向に沿ってカメラ本体２１からカメラアダプタ構造を形成した側板部２３ｂを分離・合体可能としたドッカブル構造のビデオカメラ装置である。
【００２６】
次に、本実施例におけるカメラ本体２１に形成した開口部２２ａと回路基板２８について、図３，図４（ａ）〜（ｃ）を参照して説明する。カメラ本体２１上面部には、取り外し可能なトップカバー２４が設けられ、トップカバー２４が開口部２２ａを覆うように、カメラ本体２１の上面部に取り付けられ、開口部２２ａはカメラ本体２１の略中央部に設けた収納部２１ａの上部に位置し、開口部２２ａから回路基板２８の実装や取り出しが可能である。
【００２７】
本実施例のビデオカメラ装置は側板ドッカブル構造であるので、回路基板２８は光軸方向に沿ってカメラ本体２１の長手方向（光軸に沿った方向）に収納可能であり、回路基板の収納空間を広くすることができる。従来、回路基板２８はカメラ本体の幅方向（光軸に対して直交方向）に配置されており、カメラ本体２１の横幅は狭いので回路基板の枚数が多くなり、配線（ハーネスケーブル）が複雑になるといった欠点があったが、回路基板２８がカメラ本体２１の長手方向に垂設配置することができ、回路基板の面積を広くするとができるので、回路基板の枚数を低減でき、ハーネスケーブルの本数等が削減でき配線構造を簡略化することができ、電源線を接続するコネクタ等の部品点数を削減できる。
【００２８】
トップカバー２４はカメラ枠体２２の上面部にネジ（図示なし）により固定する。または、カメラ枠体２２に係止部（図示なし）を設けて挟み込み、ネジでカメラ枠体２２とトップカバー２４とを固定するようにして良い。開口部２２ａをトップカバー２４で閉じた状態では前把持部２５ａと後把持部２５ｂとが組み合わされて把持部２５が形成され、図４（ａ）の外観形状となる。
【００２９】
続いて、カメラ枠体２２からトップカバー２４を外すと、図４（ｂ）に示すように、開口部２２ａが現れ、開口部２２ａ内に回路基板２８が収納部にソケット等に差し込まれて実装されている。図４（ｃ）に示すように、回路基板２８を開口部２２ａから引き出すことができ、種々機能に応じて容易に交換することができるし、制御ケーブルの種類に応じた回路基板の交換が容易にできるし、保守点検時に不良回路基板を良品に交換することが容易である。
【００３０】
本実施例のビデオカメラ装置のカメラアダプタ構造は、図２に示すように、側板部２３ｂの内面側に設けた箱状部材２６ｃにカメラアダプタ部２６のモジュール部２６ａが収納され、背面方向にコネクタ２６ｄが設けられ、側板部２３ｂの表面側にカメラアダプタ部２６のコネクタ部２６ｂが設けられ、カメラアダプタ構造を形成した側板部２３ｂを、カメラ枠体２２の左側面に固定ネジ２７で機械的に強固に緊縮して装着することができる。また、側板部２３ｂをカメラ枠体２２に取り付けることによって、カメラ枠体２２の側壁面に設けられたコネクタ２６ｅとコネクタ２６ｄとで電気的に接続される。また、側板部２３ｂによるカメラアダプタ構造では、ビデオカメラ装置の電源回路等がカメラ本体側に収納されており、電源回路等のコネクタが削減できるし、撮影時の振動等に強い耐久性のあるビデオカメラ装置とすることができる。
【００３１】
本実施例のビデオカメラ装置は、側板部２３ｂがカメラ枠体２２に分離・合体可能な側板ドッカブル構造であるので、カメラ本体の中央部に大きな空間が形成され、回路基板２８をカメラ本体２１内に光軸方向に沿って縦方向に垂設収納することができ、側板部２３ａ，２３ｂの内面側に放熱板（図示なし）を設けることが可能であり、また、放熱板間に空隙が形成され、カメラ本体２１の上面と下面に通気孔２９（図１参照）を形成することによって、これら両放熱板による放熱構造を容易に形成できる。また、回路基板２８間にも空隙が形成でき、より放熱性のよい放熱構造を形成できる。また、側板ドッカブル構造であるので、側板部２３ｂをカメラ枠体２２に固定ネジ２７で強固に緊縮すれば機械的に強固であり、また防水構造が容易に形成できるし、電気的な接続も安定し、耐久性のあるビデオカメラ装置が提供できる。
【００３２】
上述のように、本発明のビデオカメラ装置は、カメラ本体の一側板部を光軸方向に沿って分離・合体可能な側板ドッカブル構造とし、一側板部をカメラアダプタ部及び又は記録装置を設けてカメラアダプタ機構とし、また、カメラ本体のトップカバーを取り外せば上部から回路基板の交換ができ、トライアックスケーブルやファイバーケーブルに対応できるカメラアダプタ機構とした側板部を用意することで、スタジオシステムに合わせて側板部を交換することで、トライアックスケーブル又はファイバーケーブルに容易に対応できるビデオカメラ装置とすることができるし、側板ドッカブル構造を可能にするカメラアダプタ機構を提供できる。
【産業上の利用可能性】
【００３３】
本発明の活用例の一例としては、耐久性を有し軽量で強固な側板ドッカブル構造のビデオカメラ装置としてスタジオ等で業務用として利用することができる。
【符号の説明】
【００３４】
２０  ビデオカメラ装置
２１  カメラ本体
２１ａ  収納部
２２  カメラ枠体
２２ａ  開口部
２３ａ，２３ｂ  側板部
２４  トップカバー
２５  把持部
２５ａ  前把持部
２５ｂ  後把持部
２６  カメラアダプタ部
２６ａ  モジュール部
２６ｂ  コネクタ部
２６ｃ  箱状部材
２６ｄ，２６ｅ  コネクタ
２７  固定ネジ
２８  回路基板
２９  通気孔
【図１】
0005550973.tif 000002
【図２】
0005550973.tif 000003
【図３】
0005550973.tif 000004
【図４】
0005550973.tif 000005
【図５】
0005550973.tif 000006
【図６】
0005550973.tif 000007